(57)【要約】  本発明は、光学配列、特に検出器がその内に設置可能である検出平面を備え、検出光をスペクトル分割するための分散デバイスを備えるマルチスポット走査顕微鏡の検出ビーム経路ための光学配列に関する。本発明に従って、光学配列は、検出光を検出平面中に誘導するための歪み光学ユニットが存在し、上記歪み光学ユニットが、分散デバイスの下流及び検出平面の上流に配列されている、ことと、スペクトル分離された検出光の明視野と歪み光学ユニットとの相対的回転のための回転デバイスが存在することと、を特徴とする。本発明は、追加的に、マルチスポット走査顕微鏡及び顕微鏡を作動させるための方法に関する。
2019533833.tif 000002
【特許請求の範囲】
【請求項１】
検出器（２４）がその内に設置可能である検出平面（２６）を有し、検出光（６１、６２、７０、３２４）をスペクトル分離するための分散デバイス（１０）を有する、光学配列、特にマルチスポット走査顕微鏡の検出ビーム経路のための光学配列において、
歪み光学ユニット（２０）が、前記検出光を前記検出平面（２６）中に誘導するために提供され、前記歪み光学ユニットが、ビーム方向に、前記分散デバイス（１０）の下流に、及び前記検出平面（２６）の上流に配列されていることと、
前記スペクトル分離された検出光の明視野（６０）と前記歪み光学ユニット（２０）との相対的回転のための回転デバイス（３０、４０）が、存在することと、を特徴とする、光学配列。
【請求項２】
前記歪み光学ユニット（２０）は、少なくとも１つの屈折及び／又は反射アナモルフィック光学ユニット、並びに／あるいは屈折及び／又は反射円柱形光学ユニット（２１）を含むことを特徴とする、請求項１に記載の光学配列。
【請求項３】
前記歪み光学ユニット（２０）は、固定又は可変回折光学ユニット、例えば位相マスク及び／又は少なくとも１つの光空間変調器（ＳＬＭ）を含むことを特徴とする、請求項１又は２に記載の光学配列。
【請求項４】
検出器（２４）が、前記検出平面（２６）内に配列されていることを特徴とする、請求項１〜３のいずれか１項に記載の光学配列。
【請求項５】
前記検出器が、線検出器（２４）であることと、
前記線検出器（２４）の長手方向が、前記歪み光学ユニット（２０）の軸線（２２）に平行に延在することと、を特徴とする、請求項４に記載の光学配列。
【請求項６】
前記検出器は、ＧａＡｓＰ検出器、光電子増倍管、ＳＰＡＤアレイ又は高速度カメラであることを特徴とする、請求項４又は５に記載の光学配列。
【請求項７】
前記歪み光学ユニット（２０）は、前記分散デバイス（１０）に対して固定されていることを特徴とする、請求項１〜６のいずれか１項に記載の光学配列。
【請求項８】
前記歪み光学ユニット（２０）は、前記回転デバイス（４０）によって前記分散デバイス（１０）に対して回転可能であることを特徴とする、請求項１〜７のいずれか１項に記載の光学配列。
【請求項９】
前記回転デバイスは、少なくとも１つの回転ミラーを含むことを特徴とする、請求項１〜８のいずれか１項に記載の光学配列。
【請求項１０】
前記回転デバイスは、少なくとも１つの回転プリズム（３２）を含むことを特徴とする、請求項１〜９のいずれか１項に記載の光学配列。
【請求項１１】
前記回転プリズム（３２）は、ビーム経路の最も狭まった収縮の位置に、特に瞳平面（３６）内に配列されていることを特徴とする、請求項１０に記載の光学配列。
【請求項１２】
前記回転プリズムは、アッベ・ケーニッヒプリズム又はドーブプリズム（３２）であることを特徴とする、請求項１０又は１１に記載の光学配列。
【請求項１３】
屈折及び／又は回析部品が、前記分散デバイス（１０）として存在することを特徴とする、請求項１〜１２のいずれか１項に記載の光学配列。
【請求項１４】
プリズム及び／又は回析格子（１４）が、前記分散デバイスとして存在することを特徴とする、請求項１〜１３のいずれか１項に記載の光学配列。
【請求項１５】
円柱形光学ユニット（２０）は、単一の円柱形レンズ（２１）によって形成されていることを特徴とする、請求項１〜１４のいずれか１項に記載の光学配列。
【請求項１６】
撮像目盛を、特に、用いられている検出器（２４）の寸法に、適合させるための第１及び第２レンズ（２７、２９）を有する望遠鏡光学ユニットが存在し、前記歪み光学ユニット（２０）及び前記回転デバイス（３０）、特に前記回転プリズム（３２）は、前記望遠鏡の第１及び第２レンズ（２７、２９）の間に配列されていることを特徴とする、請求項１〜１５のいずれか１項に記載の光学配列。
【請求項１７】
撮像目盛を、特に、用いられている検出器（２４）の寸法に、適合させるためのズーム光学ユニットが存在することを特徴とする、請求項１〜１６のいずれか１項に記載の光学配列。
【請求項１８】
前記歪み光学ユニット（２０）、例えば円柱形光学ユニット（２０）と前記明視野との間の相対的回転の軸線は、前記歪み光学ユニット（２０）の軸線に対して横方向に、特に垂直方向に向いていることを特徴とする、請求項１〜１７のいずれか１項に記載の光学配列。
【請求項１９】
マルチスポット走査顕微鏡であって、
顕微鏡光学ユニット（３１０）を含み、
照明ビーム経路を含み、
検出ビーム経路（３２４）を含み、
励起光（３２２）を前記照明ビーム経路内に提供するための光源（３２０）を含み、
スキャナを含み、
請求項１〜１８のいずれか１項に記載の光学配列（１００）を前記検出ビーム経路（３２４）内に含み、
前記光学配列（１００）の検出平面（２６）内に設置された検出器（２４）であって、前記光学配列（１００）の前記検出器平面（２６）が、試料平面（３１２）に光学的に共役である、検出器（２４）、特に線検出器を含み、
前記光学配列（１００）、特に前記光学配列（１００）の回転デバイス（３０）及び光源（３２０）を動作させるための、並びに前記検出器（２４）によって提供された測定データ（３３２）を少なくとも暫定的に処理するための制御ユニット（３３０）を含む、マルチスポット走査顕微鏡。
【請求項２０】
前記回転デバイス（３０、４０）は、照明スポットの数に基づいて歪み光学ユニット（２０）に対する明視野（６０）の回転位置を設定するために用いられる、請求項１９に記載の顕微鏡を作動させるための方法。
【請求項２１】
前記光学配列（１００、２００、４００）は、前記回転デバイス（３０、４０）の位置に基づいて、１つの照明スポットのスペクトル（６５）、２つの照明スポットのスペクトル（６５、６７）、又は４つの照明スポットのスペクトル（６５、６６、６７、６８）を前記検出器上に撮像するために用いられることを特徴とする、請求項２０に記載の方法。
【発明の詳細な説明】
【技術分野】
【０００１】
第１側面において、本発明は、請求項１の前文に従う、光学配列、特にマルチスポット走査顕微鏡の検出ビーム経路のための光学配列に関する。更に、本発明は、マルチスポット走査顕微鏡及び顕微鏡を作動させるための方法に関する。
【背景技術】
【０００２】
マルチスポット走査顕微鏡の検出ビーム経路のための一般的な光学配列は、検出器をその内に設置可能である検出平面と、検出光をスペクトル分離するための分散デバイスと、を有する。そのような配列は、スペクトル分解マルチスポット走査顕微鏡において公知である。
【０００３】
レーザ走査顕微鏡のいくつかの適用において、試料によって放出された光を、スペクトル分解方式で検出することができる。これに関する先行技術は、広範囲にわたる。例えば、特許文献１は、照明された試料位置によって後方に反射された光のスペクトル分解検出を可能にするシステムを記載する。特許文献２は、この原理を説明し、それが、また、レーザ走査顕微鏡に用いられる。スペクトル分解検出に必要である分散は、この場合、プリズム又は格子を用いて生成されてもよい。
【０００４】
更なる変形において、スペクトル線が、例えば、ミラーを用いてスペクトル線平面内で選択され、次いで、エアリスキャン検出器として知られているものの上に誘導される。更に、後方に反射されないスペクトル色成分（ミラーがビーム経路から全体的に取り外される場合、スペクトル全体であってもよい）を捕える目的がここに存在する。現在、ラインセンサだけが複数の画素を有する高感度センサとして共焦点顕微鏡法に適しているので、その目的は、可能な限り高性能な態様で試料からの情報を上記ラインセンサ上に撮像することである。励起光が調査されるべき試料上の又はその内の複数の焦点領域上に又はその内に入射するというマルチスポット励起に起因して、情報は、試料上の又はその内の複数の異なる位置から来ている。情報は、典型的には、この説明において、単にスポットとも呼ばれる焦点が、座標方向に直列に、及び、それに垂直である軸線内に配列され、焦点とそれぞれ関連するスペクトルが、空間方向に扇形に広げられるようなタイプのものである。
【先行技術文献】
【特許文献】
【０００５】
【特許文献１】独国特許出願公開第１０２０１４１１６７８２号明細書
【特許文献２】独国特許出願公開第１９８４２２８８号明細書
【発明の概要】
【課題を解決するための手段】
【０００６】
検出器の特に可変の利用ができる、光学配列、マルチスポット走査顕微鏡及び顕微鏡を作動させるための方法を提供することが、本発明の目的であると考えられてもよい。この目的は、請求項１の特徴を有する光学配列、請求項１９の特徴を有するマルチスポット走査顕微鏡、及び、請求項２０の特徴を有する顕微鏡を作動させる方法によって達成される。
【０００７】
上記タイプの光学配列が本発明に従って開発された結果、検出光を検出平面中に誘導するために、ビーム方向に、分散デバイスの下流に、及び検出平面の上流に配列されている歪み光学ユニットが存在し、スペクトル分離検出光の明視野と歪み光学ユニットとの相対的回転のための回転デバイスが存在する。
【０００８】
本発明に従うマルチスポット走査顕微鏡は、部品として、顕微鏡光学ユニットと、照明ビーム経路と、検出ビーム経路と、スキャナと、照明ビーム経路内に励起光を提供するための光源と、検出ビーム経路内の本発明に従う光学配列と、本発明に従う光学配列の検出平面内に設置される検出器、特に線検出器と、を含み、光学配列の検出器平面は、試料平面及び、光学配列、特に光学配列の回転デバイス、及び光源を動作させるため、及び検出器によって提供される測定データを少なくとも前もって処理するための制御ユニットに光学的に共役である。
【０００９】
本発明に従う顕微鏡を作動させるための本発明に従う方法において、回転デバイスが、照明スポットの数に基づいて、歪み光学ユニットに対する明視野の回転位置を設定するために用いられる。
【００１０】
本発明に従う光学配列、本発明に従う顕微鏡及び本発明に従う方法の有用な変形の有利な開発が、以下の説明において、特に従属請求項及び図に関して説明される。
【００１１】
この説明の文脈における用語の光学配列とは、一緒に特定の光学機能を実行する光学式及び機械式部品のグループを指すものである。光学式及び機械式部品は、１つのアセンブリとして形成されてもよいか、又は共通のハウジング内に収容されてもよい。
【００１２】
用語の検出ビーム経路とは、検査される試料から検出デバイス、例えばカメラまで、試料によって後方に反射された光が移動する距離を意味すると理解される。このことは、具体的には、また、ミラー、レンズ、プリズム及び格子等の個々のビーム誘導及びビーム操作部品を指す。
【００１３】
用語のマルチスポット走査顕微鏡とは、調査されるべき試料が焦点スポット又は単にスポットとも呼ばれる複数の焦点によって同時に走査される顕微鏡を指す。
【００１４】
この説明の文脈における用語の検出平面とは、カメラチップ等の検出器がその内に配列されている平面を指す。検出平面は、典型的には、試料平面に光学的に共役である平面内、すなわち中間画像平面内にある。
【００１５】
用語の分散デバイスとは、それによって光のビームのスペクトル空間分離が可能である部品を指す。スペクトル空間分離、又は等価語では、この説明の文脈における分散分離とは、特に、ビームの異なるスペクトル成分が、異なる空間方向に誘導されて、この意味において分離される状況を指す。この場合、決定された、ゼロになることがない波長間隔及び空間方向間隔で、１つの空間方向への１つの波長の連続撮像が、達成される。そのことは、互いに近接している波長が、また互いに近接している空間方向に誘導されることを意味する。互いに更に離れている波長は、それに対応して、互いに更に離れている空間方向に誘導される。
【００１６】
本発明のための用語の歪み光学ユニットとは、例えば球面レンズによって提供されるような、回転対称の光学ユニットから外れている光学ユニットを意味すると理解される。
【００１７】
原理的には、対応する相対的回転に基づいて、測定されるべき空間又はスペクトル自由度が例えば１つのセンサ線上にあるように、画像視野を歪ませる任意の光学ユニットが、歪み光学ユニットとして用いられてもよい。この技術的効果は、例えば、歪み光学ユニットが少なくとも１つの屈曲及び／又は反射アナモルフィック光学ユニットを含む場合に、達成されてもよい。
【００１８】
歪み光学ユニットが円柱形光学ユニットである、本発明の実施形態変形が、特に好ましい。例えば、１つ又は複数の円柱形ミラーが、円柱形光学ユニットのために用いられてもよい。特定の長所を伴って、円柱形レンズが追加的に又は代替的に用いられてもよい。
【００１９】
しかし、原理的には、位相マスク等の固定屈折光学ユニット、及び／又は調節可能屈折光学ユニット、例えば光空間変調器（ＳＬＭ）が、また、明視野上に必要な位相機能を付与するための歪み光学ユニットとして用いられてもよい。
【００２０】
用語の円柱形光学ユニットとは、異なる空間方向に異なる集束特性を有する光学部品又は複数の光学部品を意味する。特に、用語の円柱形光学ユニットとは、当該光学ユニット内では、いかなる集束も、１つの座標方向に、特に特定の軸線に沿って生じることがない光学ユニットを指し、その軸線は、この円柱形光学ユニットの軸線とも呼ばれる。
【００２１】
ビーム経路内での部品の相対的配列を説明するために、ビーム方向における上流及び下流という用語が用いられる。例えば、このことは、検出ビーム経路について、第１部品の下流にある第２部品が第２部品の上流にある第１部品よりも検出器により近接してあることを意味する。
【００２２】
用語の明視野は、本発明に対して重要である。それは、電磁放射線の強度の形状的空間分布を指す。例えば、白色光ビームが、複数のバーから構成されている回析格子を通過した後に、格子バーの延在方向に垂直である平面内で延在するスペクトル的に拡大された明視野が形成される。
【００２３】
本発明の文脈における回転デバイスは、明視野を空間内の別の部品に対して回転させることを可能にする技術手段を意味すると理解される。
【００２４】
相対的回転は、この場合、相対的回転位置だけが重要であることを意味し、そのことは、最初に及び原則として、互いに対してある関係に置かれた２つの成分のうちのどちらが環境に対して能動的に回転させられることができ、どの成分が、環境に対して静止しているかが未だ定まっていないことを意味する。
【００２５】
本説明の文脈における用語の顕微鏡光学ユニットとは、顕微鏡のビーム経路内に、特に顕微鏡対物レンズ内に典型的に存在する全ての光学部品を意味すると理解される。
【００２６】
光源から試料まで励起光によってとられるビーム経路は、照明ビーム経路と呼ばれる。光源から試料までの励起光を操作、誘導及び成形する光学部品は、一緒に同じく照明ビーム経路と呼ばれる。
【００２７】
用語の光、特に照明光、励起光及び検出光は、顕微鏡法において典型的に用いられるか又は典型的に見られる波長範囲内の電磁放射線を意味すると理解される。特に赤外線、可視又は紫外線スペクトル範囲にあってもよい照明光は、光源としてレーザによって典型的に提供される。本発明に従う顕微鏡は、好ましくはレーザ走査顕微鏡である。
【００２８】
蛍光顕微鏡検査法が本質的な顕微鏡法技術であるので、光は、また、励起光と呼ばれ、その理由は、上記光が、典型的には、試料を調製する色素の蛍光を励起するからである。
【００２９】
本発明に従う顕微鏡において使用されるスキャナは、ガルバノメトリックスキャナ等の、原理的に公知の部品である。
【００３０】
マルチスポット走査顕微鏡法に対して、マルチレンズアレイが多用され、それは、複数の照明スポット、特に変更可能な数の照明スポットを提供する機能がある。
【００３１】
試料が置かれてそれが検出器上に明確に撮像される平面は、概して試料平面と呼ばれる。そのことは、検出器が、この試料平面に光学的に共役である平面内に、又は、言い換えると中間画像平面にあることを意味する。
【００３２】
本発明に従う顕微鏡のための及び本発明に従う光学配列のための制御ユニットとして、電子部品、特に、ＰＣ又はマイクロコントローラ等の原則として公知であるプログラム可能なものが用いられてもよい。
【００３３】
マルチスポット走査顕微鏡法において、試料が走査される照明スポットの数及び走査のための具体的な経路行路が、変更可能に選択されてもよい。典型的な変形において、最大４つの照明スポットが用いられ、これらの照明スポットは、例えば、直接連続する方式で試料を走査する。その代替として、様々な照明スポットがそれぞれ、異なる試料領域を、試料全体の所望の領域が完全に走査されるように走査してもよい。
【００３４】
本発明の本質的コンセプトは、少なくとも１つの空間拡大スペクトルであるが典型的には複数の拡大スペクトルを有する明視野を、歪み光学ユニットに対して最初に適切に回転させるデバイスを提供するというコンセプトと、続いて歪み光学ユニットを用いて一方向にだけ明視野を集束させるというコンセプトと、であると考えてもよい。この方法において、回転角度を仮定することが適切に選択され、空間スペクトル情報が取得されてもよく、利用可能な検出器が最もうまく利用されてもよい。
【００３５】
本発明に従う光学配列の及び本発明に従う顕微鏡の１つの重要な長所は、検出ビーム経路をマルチスポット走査顕微鏡の異なる作動モードに設定することが、比較的簡単な光学手段によって可能であるという事実であると考えてもよい。スペクトル分解走査顕微鏡法のための好適な作動モードとは、例えば、１つの照明スポットによって、２つの照明スポットによって、及び４つの照明スポットによって走査することである。非スペクトル分解走査顕微鏡法については、それにおいて試料が同時に比較的多くの照明スポットによって走査される作動モードが、また関心の対象である。本発明に従う光学配列において、わずかな光学部品だけが用いられるので、光損失が小さく、わずかな設置スペースしか必要とされない。
【００３６】
原理的には、検出平面内に更なる光学部品、例えば光誘導部品を設置して検出されるべき検出光を検出器まで誘導することが可能である。本発明に従う光学配列の特に有利な変形においては、しかし、検出器は、検出平面内に配列される。
【００３７】
この検出器は、例えば、原理的に公知である二次元区画化検出器であってもよい。そのような検出器は、例えば、エアリスキャン顕微鏡法において用いられる。しかし、線検出器は、本発明に従う光学配列において特に有利であってもよく、特に線検出器の長手方向が、歪み光学ユニットの軸線に平行に方向付けられる。そのような配置の場合、スペクトルを線検出器上に撮像することが可能であり、当該スペクトルは、例えば、歪み光学ユニットを用いて相互に連続する態様で４つの異なる照明スポットから試料によって後方に伝送された検出光の部分である。
【００３８】
本発明に従う光学配列の特に好ましい変形において、検出器は、ＧａＡｓＰ検出器、光電子増倍管、ＳＰＡＤアレイ又は高速カメラである。
【００３９】
独国特許出願公開第１０２０１４１０７６０６号においては、二次元検出マトリクスが用いられ、一つの方向に、異なる空間チャネルの測定が実行されながら、別の方向に、それぞれの空間チャネルについてのスペクトルが確立される。スペクトルは、［００７３］に、及び独国特許出願公開第１０２０１４１０７６０６号の図５の両矢印によって示すように、分散要素（プリズム）を回転させることによって回転させられる。しかし、独国特許出願公開第１０２０１４１０７６０６号の明視野は、本発明の例示的実施形態におけるように、明視野の光軸を具備し、センサ表面に対して実質的に法線方向である軸線の周りをセンサに対して回転させられない。むしろ、独国特許出願公開第１０２０１４１０７６０６号は、二次元センサマトリックスへのスペクトルの平行移動を記載し、当該平行移動は、分散プリズムの回転によって生じさせられる。しかし、本出願の中心要素は、まさに例えばアナモルフィック歪み光学ユニットのものであって、線形状センサに対してフレーム上に固定して配列されているセンサ配列に対する明視野の相対的回転が、異なる測定目的に対する１次元、いわばベクトルセンサの有効な利用を可能にするという事実である。単純な場合、これは、画像視野回転プリズム（ドーブプリズム又はアッベ・ケーニッヒプリズム）によって達成される。そのような要素は、独国特許出願公開第１０２０１４１０７６０６号には説明されていない。
【００４０】
独国特許出願公開第１０２０１４１０７６０６号においては、二次元マトリックスセンサが用いられ、当該センサにおいてスポットのスペクトルが、それぞれの場合に同時に測定されてもよい。
【００４１】
本発明の目的は、例えば、１次元センサ、例えば１列の検出器要素を用いて、スペクトル又は空間分解方式のいずれかで、その結果として照明スポット毎にスペクトル的に統合されるように測定を実行し得ることである。
【００４２】
原理的には、光学配列において明視野が歪み光学ユニットに対して回転させられることが本発明の実現にとって重要である。この回転は、歪み光学ユニットが、回転デバイスによって分散デバイスに対して回転可能であるという本発明の１つの改良において実現されてもよい。しかし、歪み光学ユニットが検出器に対して一定の相対的位置を有することがまた重要であるので、検出平面内に設置された検出器は、歪み光学ユニットによって共回転させられなければならない。この場合、回転デバイスは、実質的に機械式回転デバイスであって、これが、分散デバイスに対して存在してもよい歪み光学ユニット及び検出器を回転させる。明視野は、例えば、分散デバイスに対してこのように空間内で不変のままである。
【００４３】
本発明の特に好ましい変形において、歪み光学ユニットは、分散デバイスに対して固定されている。つまり、具体的には、分散デバイスと歪み光学ユニットとの間に、照明スポットを回転させるための光学回転デバイスが存在することを意味している。この変形の機械的複雑度は、比較的低い。
【００４４】
検出器を有する歪み光学ユニット及び明視野の両方が回転させられる変形が、また考えられ得る。重要なことは、単に明視野と歪み光学ユニットとの間の望ましい相対的回転位置が達成されるということである。
【００４５】
明視野の空間操作は、例えば回転式ミラーを用いて達成されてもよい。本発明に従う光学配列の有利な変形において、回転デバイスは、そのため、少なくとも１つの回転式ミラーを含んでもよい。
【００４６】
本発明に従う光学配列の特に好ましい代替の場合、回転デバイスは、少なくとも１つの回転プリズムを含む。回転プリズムは、特に手際よく効果的に明視野の回転を可能にするために用いられる。
【００４７】
回転プリズムは、原理的には、歪み光学ユニットと分散デバイスとの間の、本発明に従う光学配列内のビーム経路のいずれかの所望の位置に設置されてもよい。しかし、特定の選択によって、回転プリズムは、瞳平面内で、特に、接続された顕微鏡のビーム経路に対して、ビーム経路の最も狭まった収縮の位置に配列されてもよい。その結果、比較的小さい回転プリズムが用いられてもよいという長所がある。これらは、より大きい回転プリズムよりも費用効果が優れているだけでなくて、より小さい設置スペースしか必要としない。
【００４８】
具体的な選択によって、本発明に従う光学配列の回転プリズムが、アッベ・ケーニッヒプリズム又はドーブプリズムであってもよい。
【００４９】
本発明に従う光学配列の特に好ましい変形において、歪み光学ユニット、例えば円柱形光学ユニットと明視野との間の相対的回転の軸線は、歪み光学ユニットの軸線に対して横方向に、特に垂直方向に向いている。
【００５０】
明視野と歪み光学ユニット、特にセンサとの間の相対的回転の回転軸は、好ましくは、明視野の光軸を含む。具体的な選択によって、相対的回転の回転軸は、センサ表面に対して横方向、特に垂直方向又は法線方向である。
【００５１】
本発明に従う光学配列の分散デバイスについて、検出光内に含有されたスペクトル成分の望ましい空間分離又は拡大が達成されることが重要である。典型的には、本発明に従う光学配列において、屈折及び／又は回析部品が、分散デバイスとして存在する。
【００５２】
例えば、プリズムは、屈折部品として存在してもよく、及び／又は回折格子が回析部品として存在してもよい。
【００５３】
歪み光学ユニットに関して、望ましい集束特性が、座標方向において得られることにより、線検出器がその横方向に、すなわち線の延在方向に垂直に可能な限り最適であるように照明され、加えて、線の方向に集束が達成されないか又は弱い集束だけが達成されることが機能上重要である。歪み光学ユニットが単一の円柱形レンズによって形成されている、本発明に従う光学配列の変形が、特に好ましい。１つだけの円柱形レンズを用いることにより、伝送損失が最小に維持されてもよい。
【００５４】
顕微鏡光学ユニットから出る検出光の明視野の空間寸法は、顕微鏡光学ユニットのビーム経路内に存在する光学部品によって決定される。これらは、利用可能な検出器又は使用される検出器と必ずしも整合する必要があるわけではない。これらの考察の下で、第１及び第２レンズを有する望遠鏡光学ユニットが、特に、使用される検出器の寸法に撮像目盛を適合させるために存在する、本発明に従う光学配列の変形が、有利である。この場合、歪み光学ユニット及び回転デバイス、特に回転プリズムが、望遠鏡の第１と第２レンズの間に配列されることが有用であることがある。そのような望遠鏡部分の別の長所は、更なる設置スペース及び更なる瞳平面が提供されることにより、回転プリズムの設置を例えばより簡単にすることである。
【００５５】
代替として、ズーム光学ユニットが、また、撮像目盛を、特に用いられている検出器の寸法に適合させるために提供されてもよい。この変形は、例えば、ビーム経路を異なる形状寸法を有する異なる検出器に適応させることを可能する。
【００５６】
本発明に従う方法の特に有利な変形において、光学配列が、回転デバイスの設置に基づいて、１つの照明スポットのスペクトル、２つの照明スポットのスペクトル又は４つの照明スポットのスペクトルを検出器上に撮像するために用いられてもよい。単一の照明スポットのスペクトルが、検出器上に撮像される変形は、その方法に従って、単一スポットスキャナとして知られているものに対応し、また、ここで説明される本発明に従う方法によって特定の例として実現され得る。
【００５７】
しかし、原理的には、それぞれ異なる照明スポットから生じる光ビームを、光スペクトルの延在方向がラインセンサの延在方向に垂直であるように線検出器上に撮像することがまた可能である。１つの改良では、検出器を有する歪み光学ユニットが、分散デバイスに対して固定されており、明視野の非回転状態において、照明スポットのスペクトルが線検出器上に撮像されてもよく、９０°だけの明視野の回転がそのために必要である。そのような設置の場合、スペクトル分解が完全に失われるが、特に多くの照明スポットの照明光が、それぞれの場合にペクトル統合方式で、同時に測定されてもよい。
【００５８】
結果として、本発明は、ラインセンサにおいて入手可能な情報についての融通性のある配列を可能にする光学ユニットを提供する。同時に、光学複雑度が、非常に低く維持されてもよい。高透過率が保証されてもよく、技術的費用が全体として低い。
【００５９】
上記の目的が、このようにして歪み光学ユニット及び回転プリズムの適切な使用によって達成される。歪み光学ユニットが、１つの軸線（図６〜図９のｘ軸）内に光を集束させるために用いられ、一方、それに垂直である別の軸線（図６〜図９のｙ軸）内の光は、影響を受けない。更に、必要な撮像目盛が、回転対称の撮像光学ユニットによってラインセンサ上に実現されてもよい。代替として、円柱形レンズ及びラインセンサが、また、一緒に回転させられてもよいけれども、典型的には冷却されるラインセンサが比較的大きいので、これは技術的に比較的複雑である。
【００６０】
円柱形レンズが空間内に固定される場合、センサの直線タイプの照明が、回転プリズムの回転角度から独立して、特に円柱形レンズ軸線の向きに固定される。回転プリズムの効果により、スペクトル線平面の視野が、それが歪み光学ユニット、特に円柱形光学ユニットを用いてラインセンサ上に集束される前に、望ましい向きに回転させられるように撮像されてもよい。このために、ラインセンサのなんらかの望ましい使用が、原理的に可能である場合がある。センサは、したがって、タスクに基づいて可変的に利用可能である。この場合、集束とは、回折限界の範囲内での光学撮像という意味での集束というよりむしろ、検出器表面、すなわち検出器線上への光エネルギの集中又は誘導を基本的に意味する。
【００６１】
原理的には、面走査検出器が、また、用いられてもよい。その場合、本発明に従う光学配列は、必要な検出器面を１ラインに低減するために用いられてもよく、残りの検出器面が、別の検出タスク、例えば同時に実行される別の顕微鏡法技術に用いられてもよい。
【００６２】
好適な検出器は、また、高速度カメラ、ＳＰＡＤ及び／又は光電子増倍管、例えば多重チャンネル平板であってもよい。それに対応して構成された顕微鏡の照明は、原理的に、異なる態様で達成されてもよい。最初に、全ての励起スポットが、同一のスペクトル成分を有してもよい。それらのマルチスポットによって走査される試料において、この場合の全ての放出チャネルは、試料のそれぞれ照明された位置に本来的に依存する同様のスペクトル情報を具備する。更に、励起スポットのスペクトル成分が変化する可能性もあり、そのことが有利である場合がある。この場合、まさにこの照明スポットによる、例えば色素の定められたスペクトル放出が、標的化方式で達成されてもよい。次に、個々の線のスペクトル成分が、異なる場合がある（図４を参照）。スペクトル放出分布が、例えば、独国特許出願公開第１０２０１６１１９７３０．０号に記載されているように、ことによるとミラー及びスポットによって影響を受ける場合がある。
【００６３】
本発明の更なる特性及び長所が、付属の概略図に関して以下で説明されることになる。
【図面の簡単な説明】
【００６４】
【図１】本発明に従う光学配列についての第１の例示的実施形態を示す。
【図２】本発明に従う光学配列についての第２の例示的実施形態を示す。
【図３】本発明に従うマルチスポット走査顕微鏡についての例示的実施形態を示す。
【図４】スペクトル分解マルチスポット走査顕微鏡法における検出視野の特性を説明するための線図である。
【図５】スペクトル分解マルチスポット走査顕微鏡の場合におけるラインセンサ上の光学情報のあり得る分布を示す。
【図６】本発明に従う光学配列の第１回転位置にあるラインセンサ上への焦点と関連するスペクトルの撮像を説明するための線図である。
【図７】本発明に従う光学配列の第２回転位置にあるラインセンサ上への２つの焦点のスペクトルの撮像を説明するための線図である。
【図８】本発明に従う光学配列の第３回転位置にあるラインセンサ上への４つの焦点のスペクトルの撮像を説明するための線図である。
【図９】本発明に従う光学配列の第４回転位置にある非スペクトル分解検出のためのラインセンサ上への４つの焦点の検出光の撮像を説明するための線図である。
【図１０】第１回転位置にある本発明に従う光学配列の第３の例示的実施形態を示す。
【図１１】第２回転位置にある図１０の例示的実施形態を示す。
【図１２】第１回転位置にある本発明に従う光学配列の第４の例示的実施形態を示す。
【図１３】第２回転位置にある第４の例示的実施形態を示す。
【図１４】第３回転位置にある第４の例示的実施形態を示す。
【図１５】第４回転位置にある第４の例示的実施形態を示す。
【発明を実施するための形態】
【００６５】
本発明に従う光学配列１００の第１の例示的実施形態が、図１に関して説明されることになる。同一の部分及び部品、並びに均等な効果を有する部分及び部品には、概して図面においては同じ参照符号が付与される。
【００６６】
図１に示す、本発明に従う光学配列１００は、本質的部分として、分散デバイス１０と、作動部５０を有する回転デバイス３０と、歪み光学ユニット２０と、検出平面２６と、を含む。示している例において、歪み光学ユニットは、円柱形光学ユニット２０である。座標系１２が、空間方向を説明するように機能できる。円柱形光学ユニット２０の軸線２２及び検出平面２６内に配列された線検出器２４が、ｙ方向に延在する。ｘ軸は、ｙｚ平面に垂直である。
【００６７】
光ビーム６１が、図１に概略的に示す状況において、分散デバイス１０に入射し、当該分散デバイスは、例えば、回折格子であってもよい。上記光ビーム６１は、試料（図１に図示せず）内の照明スポットから生じ、当該試料は顕微鏡（同様に図示せず）内にある。光ビーム６１は、概略的に図１に示すように、分散デバイス１０によってｙ方向にスペクトル６５中に拡大される。更なる照明スポットの、存在してもよい任意のスペクトルが、別のｘ位置、すなわち、紙面に対してスペクトル６５の前方又は後方にある。異なる照明スポットと関連しているスペクトルは、したがって、ｘ方向に見て互いの上方にあるか、又は互いの後方にある。
【００６８】
分散デバイス１０が単純格子である場合、図１の格子バーは、ｘ方向に、紙面に垂直に延在するであろう。拡大スペクトル、具体的にはスペクトル６５は、明視野６０を形成し、当該明視野は、回転デバイス３０に入射する。回転デバイス３０は、例えば、機械式及び電子式手段によって回転させられ、制御ユニット５０によって認識される回転プリズムであってもよい。回転又は捻転された明視野６３は、回転デバイス３０を出て、円柱形光学ユニット２０に到達する。方位角回転方向が、この場合、回転矢印５１によって示されている。回転軸自体は、ｚ軸に平行である。
【００６９】
円柱形光学ユニット２０は、入射明視野６３をｘ方向に、すなわち図１の紙面に垂直で、ｙ方向及びｚ方向に垂直に集束させる（座標系１２を参照）。対照的に、円柱形光学ユニット２０に起因した集束は、ｙ方向には生じず、その理由は、その軸線２２がｙ方向に延在するからである。このように集束させられた明視野６４は、線検出器２４に入射する。したがって、回転デバイス３０を用いて、円柱形光学ユニット２０に対する明視野６３の相対回転位置を変えることが可能である。このことは、異なる照明スポットに属する光スペクトルの、全く同一の線検出器２４上への可変撮像を可能にする。これに関する更なる詳細が、図４〜図１５に関して説明されることになる。
【００７０】
図２は、本発明に従う光学配列２００の更なる例示的実施形態を示し、当該実施形態において、円柱形光学ユニット２０に入射する明視野６３の可変回転位置が、回転デバイス４０によって分散デバイス１０に対して線検出器２４と共に回転させられる円柱形光学ユニット２０によって、達成される。この変形におけるような明視野６０は、空間的には操作されない、すなわち、分散デバイス１０を出る明視野６０は、原則として円柱形光学ユニット２０に入射する明視野６３と同一である。円柱形光学ユニット２０の方位角回転方向は、矢印５２によって図２に概略的に示されている。回転軸の方向は、ここでもｚ軸に平行である。回転デバイス４０は、制御ユニット５０によって作動させられ、図２の変形では、実質的に機械式のものであり、その理由は、この場合に重要であることが、回転位置に関して、円柱形光学ユニット２０及び検出器２４を分散デバイス１０に対して位置決めすることであるからである。
【００７１】
図３は、本発明に従う顕微鏡３００を概略的に示す。上記顕微鏡は、本質的部分として、顕微鏡光学ユニット３１０と、光源ユニット３２０と、そこに設置される、観察されるべき試料３１４を伴う試料平面３１２と、本発明に従う光学配列１００と、最後に、制御ユニット３３０と、を含む。光源ユニット３２０によって放出される励起光３２２は、具体的にはスキャナ及び顕微鏡対物レンズ（図３に図示せず）を含む顕微鏡光学ユニット３１０中へと進み、そして、矢印３１６によって概略的に示されるように、例えば、試料３１４上に複数の照明スポットに集束させられる。例えば、４つの照明スポットが、試料３１４にわたって同時に走査される。照明スポットによって照明された試料の部分が、光３１８を後方に伝送し、当該光は、顕微鏡光学ユニット３１０によって誘導される。明視野３２４の形式の顕微鏡光学ユニット３１０を出る検出光が、本発明に従う光学配列１００に入り、ここで、検出平面２６内に設置された線検出器２４によって、図１と関連して上記したように検出されてもよい。本発明に従う光学配列１００は、制御ユニット３３０によって作動させられてもよく、当該制御ユニットは、概略的に示す作動可能接続３３４によって光学配列１００に接続されている。検出器２４によって提供される測定データ３３２は、少なくとも暫定的に制御ユニット３３０によって評価されてもよく、当該制御ユニットは、例えばＰＣ又はそれに相当する計算装置であってもよい。制御ユニット３３０は、光源ユニット３２０を作動させるように追加的に機能させてもよい。
【００７２】
マルチスポット走査顕微鏡法での明視野６０の基本特性は、検出光が本発明に従う光学配列の分散デバイス１０を通過した後に現れるので、図４と関連して説明されることになる。ここで、合計４つのスペクトル６５、６６、６７、６８が、座標系において概略的に示され、当該スペクトルは、それぞれ、試料上の異なる照明スポットから生じる。図４の水平座標軸は、図１及び図２のｙ軸に対応する。全ての照明スポットが全く同じにスペクトル的に励起されるとき、スペクトル６５、６６、６７、６８は、照明スポットのそれぞれの位置における試料組成にありのままに基づいて、比較的同様に見えることになる。しかし、異なる照明スポットの励起が、既に原則としてスペクトル的に異なっていてもよい。その場合、スペクトル６５、６６、６７、６８は、また、個々に明確な相違を示してもよい。図４の水平軸方向のスペクトル６５、６６、６７、６８の範囲及び図４の垂直軸方向のこれらのスペクトルの距離が、顕微鏡光学ユニット３１０及び分散デバイス１０によって、並びに場合によってはビーム経路内に存在する更なる部品によって決定される。
【００７３】
マルチスポット走査顕微鏡法の基本的タスクは、可能な限り有効にスペクトル６５、６６、６７、６８を検出することである。この目的に対して、特にＧａＡｓＰ検出器が利用可能であり、当該検出器は、線検出器の形式においてのみ実質的に利用可能である。そのため、これらのスペクトルを全く同一の線検出器上に撮像することが対象である。図５は、このことが完遂され得る方法についての複数の変形を示す。図５ａ）は、線検出器２４上への単一のスペクトル６５の撮像を示す。図５ｂ）は、線検出器２４上への２つのスペクトル６５、６６の撮像を示し、図５ｃ）は、線検出器２４上への相互に隣接する態様での全４つのスペクトル６５、６６、６７、６８の撮像を示す。図５ｄ）は、特別な場合を示す。この場合、スペクトル６５、６６、６７、６８は、それぞれ９０°だけ回転させられて、全て線検出器２４上に誘導されている。約９０°だけの回転に起因して、及び図５ｄ）内の線検出器２４が水平方向にだけ空間分解し、それに垂直である方向には空間分解しないので、スペクトル分解は、図５ｄ）に示す状況において失われている。このことは、例えば、目的が、より多くの照明スポットから後方に伝送された光を、スペクトル的に統合された態様でそれぞれ検出することである場合に、非常に望ましいことがある。
【００７４】
図５ａ〜図５ｄ）の状況が、図６〜図９及び図１２〜図１５と関連して再び以下で考察される。
【００７５】
図６〜図９は、それぞれ回転させられた明視野６３を示し、当該明視野は続いて、円柱形光学ユニット２０及び場合によっては更なる光学部品を用いて、線検出器２４上に撮像される。円柱形光学ユニット２０及び存在するいずれかの更なる光学部品の効果が、右を指す矢印２５によって図６〜図９に概略的に示されている。
【００７６】
最初に、図６は、明視野６０の異なるスペクトルが、ｘ方向に縦に並んで位置し、ｙ方向に延在することを示し、図６は、その内、スペクトル６７だけを示す。図６に示す状況において、本発明に従う光学配列が、照明スポットの単一のスペクトル６７を線検出器２４上に撮像するために用いられる。
【００７７】
それと比較して、図５ｂ）に対応する、図７に示す状況においては、２つのスペクトル６５、６７は、相互に隣接する態様で線検出器２４上に撮像されている。このことは、図１と関連して上記されたように、分散デバイス１０を出る明視野６０に対して回転させられた明視野６３によって達成される。明視野６０が回転させられなければならない回転角度が、明視野６０のスペクトル６５、６７の距離及びｙ方向の明視野の範囲によって具体的に決定される。この角度が過度に小さく選択される場合、検出器２４は、最適には利用されないことになる。それが過度に大きく選択される場合、検出器２４上のスペクトル６５と６７とは重なる。
【００７８】
図５ｃ）に対応する状況が、図８に示されている。この場合、スペクトル６５、６６、６７、６８は、それらが互いに隣接するように、線検出器２４上に同時に撮像される。図７と比較すると、明視野は、この場合、より小さい角度だけ回転させられる必要があり、その理由は、ｙ方向に同じ範囲のスペクトルを有する、２つのスペクトルの間の距離が、半分の大きさしかないからであることがわかる。
【００７９】
最後に、図９は、図５ｄ）に対応する状況を示し、当該状況において、明視野６３が、回転デバイス３０に入射する明視野６０に対して９０°だけ回転デバイス３０によって回転させられている（図１を参照）。全てのスペクトル６５、６６、６７、６８からの光が、この場合、線検出器２４上に撮像されているけれども、スペクトル分解は失われている。この作動モードは、多数の照明スポットの検出光が同時に測定され得る場合、望ましいことがある。
【００８０】
本発明に従う光学配列４００の第３の実施形態変形が、図１０及び図１１に関して説明される。それは、分散デバイス１０として反射回折格子１４を具備する。入射検出光７０が、上記回折格子１４によって、紙面（ｙｚ平面）においてスペクトル分離される。このように取得された明視野６０が、回転式ドーブプリズム３２の入口側面３３に入射し、当該ドーブプリズムは、図１０からの変形において回転デバイス３０を実現する。ドーブプリズム３２の反射面３４での反射後に、回転させられた明視野６３は、出口側面３５でドーブプリズム３２を出る。ドーブプリズム３２を出る明視野６３が入来する明視野６０と比べてそれだけ回転させられる角度は、この場合、図１０の紙面内で水平に位置する軸線の周りでのドーブプリズム３２の回転位置に依存する。ドーブプリズム３２の回転軸は、ｚ方向に平行である。明視野６３が明視野６０と比べて回転させられる回転角度は、この場合、反射面３４での明視野の反射に起因して、不変のドーブプリズム３２を明視野６０が通過する位置に対してドーブプリズム３２が回転させられた角度の２倍の大きさである。図１０に示す状況において、ドーブプリズム３２は、この中立位置にある、すなわち、図１０の明視野６３は、ドーブプリズム３２に入射する明視野６０と比べて回転させられていない。
【００８１】
対照的に、図１１に示す状況において、ドーブプリズム３２は、ｚ方向に平行である回転軸の周りに回転させられている。回転軸は、水平の点線３１によって図１１に示されている。明視野６３は、それぞれの場合に円柱形光学ユニット２０に入射し、当該円柱形光学ユニットは、図１０及び１１に示す変形における単一の円柱形レンズ２１である。円柱形レンズ２１の集束は、この場合、紙面に垂直な方向、すなわちｘ方向に達成され、一方、明らかに、円柱形光学ユニット２０による集束は紙面内には生じない。円柱形光学ユニット２０を出る光は、続いて線検出器（図１０及び図１１に図示せず）が配列されてもよい検出平面２６中に回転対称の二重レンズ２７を用いて撮像される。線検出器は、それが円柱形光学ユニット２０及び二重レンズ２７から構成される光学配列の焦線内にあるように、検出平面内に設置されなければならない。図１０に示す状況は、図５ａ）及び図６の状況、すなわち、単一のスペクトル６５が線検出器上に撮像される状況に対応する。図１０の更なるスペクトルは、紙面の前方又は後方にある。二次元的に拡張され分解する検出器を用いることが、また、原則として可能であろう。しかし、そのような検出器は、現在、望ましい速度特性を伴って利用可能ではないので、本発明の使用は有益である場合がある。図１１に示す状況において、図５ｂ）及び図７と比較すると、２つのスペクトル６５、６７は、明視野６０に対する明視野６３の回転に起因して、同じ平面（図１１の紙面）内で同時に検出平面２６中にそれらが互いに隣接するように撮像される。
【００８２】
本発明に従う光学配列５００の更なる変形が、異なる作動設定にある図１２〜図１５に関連して説明されることになる。本発明に従う光学配列５００は、図１０及び図１１に示す例示的実施形態の光学配列４００との類似点を示す。分散デバイスは、図１２〜図１５には示されていない。図１２〜図１５において、望遠鏡部分が、回転対称の二重レンズ２７、２９によって形成されている。ドーブプリズム３２は、この場合、最も密着したビーム収縮の位置にそれぞれにおいて設置される。この位置は、顕微鏡のビーム経路（図１２〜図１５に示さず）に関して、瞳平面３６内に位置している。図１２〜図１５の左側のそれぞれの場合において、中間画像平面３８から来る明視野６０は、本発明に従う光学配列５００に入る。第１照明スポットから生じるスペクトル６５が、この場合、紙面（ｙｚ平面）内にある。更なる照明スポットから生じる更なるスペクトル６６、６７、６８が、紙面の後方にある（すなわち、ｘ方向に位置がずれている、座標系１２を参照）。
【００８３】
明視野６０は、二重レンズ２９を経由してドーブプリズム３２に到達する。明視野６０は、ｚ軸に平行である回転軸の周りをドーブプリズム３２によって回転させられ（図１２〜図１５の座標系１２を参照）、そして、回転させられた明視野６３は、ドーブプリズム３２から出る。図１２において、ドーブプリズム３２は、回転角度が０°であるように、すなわち明視野６０がまったく回転させられていないように設置されている。図１３〜図１５に示す状況において、ドーブプリズム３２は、異なる角度だけそれぞれ回転させられ、当該角度は、それぞれの場合に、入射する明視野６０と比べて明視野６３の異なる回転をもたらす。円柱形光学ユニット２０の効果に起因して、２つのスペクトル６５、６７が、図７と同様に、図１３の線検出器２４上に連続して撮像されている。図１４において、図８と同様に、全４つのスペクトル６５、６６、６７、６８が、線検出器２４上に連続して撮像されている。最後に、図１５において、図９のように、全４つのスペクトルからの光が線検出器２４に到達する結果、明視野６０が、ドーブプリズム３２によって９０°だけ回転させられているけれども、当該明視野は、それによって、９０°だけの回転に起因して、スペクトル的に統合された態様で検出される。
【符号の説明】
【００８４】
１０  分散デバイス、１２  座標系、１４  回折格子、２０  歪み光学ユニット，円柱形光学ユニット、２１  円柱形レンズ、２２  歪み光学ユニット２０の軸線、２４  線検出器、２５  矢印、２６  検出平面、２７  二重レンズ、２９  二重レンズ，二重レンズ２７によって望遠鏡を形成する、３０  回転デバイス、３２  ドーブプリズム、３３  ドーブプリズム３２の入口側面、３４  ドーブプリズム３２の反射面、３５  ドーブプリズム３２の出口側面、３６  瞳平面、３８  検出平面２６に光学的に共役である中間画像平面、４０  回転デバイス、５０  回転デバイスのための制御ユニット、５１  回転方向、５２  回転方向、６０  明視野、６１  第１照明スポットから後方に伝送される検出光、６３  歪み光学ユニット２０での光入射、６４  歪み光学ユニット２０から検出平面２６まで伝播する光、６５  第１照明スポットから後方に伝送される検出光のスペクトル、６６  第２照明スポットから後方に伝送される検出光のスペクトル、６７  第３照明スポットから後方に伝送される検出光のスペクトル、６８  第４照明スポットから後方に伝送される検出光のスペクトル、７０  本発明に従う光学配列４００まで誘導される検出光、１００  本発明に従う光学配列、２００  本発明に従う光学配列、３００  本発明に従うマルチスポット走査顕微鏡、３１０  顕微鏡光学ユニット、３１２  試料平面、３１６  試料３１４での励起光入射、３１８  試料３１４によって放出された検出光、３２０  光源モジュール、３２２  励起光、３２４  検出ビーム経路，本発明に従う光学配列１００に導かれる検出光、３３０  制御ユニット、３３２  検出器２４によって提供された測定データ，光学配列１００から制御ユニット３３０までの接続線、３３４  制御ユニット３３０から本発明に従う光学配列１００までの動作線、４００  本発明に従う光学配列。
【図１】
2019533833.tif 000003
【図２】
2019533833.tif 000004
【図３】
2019533833.tif 000005
【図４】
2019533833.tif 000006
【図５】
2019533833.tif 000007
【図６】
2019533833.tif 000008
【図７】
2019533833.tif 000009
【図８】
2019533833.tif 000010
【図９】
2019533833.tif 000011
【図１０】
2019533833.tif 000012
【図１１】
2019533833.tif 000013
【図１２】
2019533833.tif 000014
【図１３】
2019533833.tif 000015
【図１４】
2019533833.tif 000016
【図１５】
2019533833.tif 000017
【国際調査報告】
2019533833.tif 000018
2019533833.tif 000019
2019533833.tif 000020
2019533833.tif 000021